(57)【要約】      （修正有）【課題】音声情報や文字情報の送受信が可能な携帯無線端末装置に関し、特に、呼出を受けた際の呼び出し動作を制限する機能を備えた携帯無線端末装置を提供する。【解決手段】音声情報または文字情報を送受信可能で受信時に呼出側の識別情報を認識可能な携帯無線端末装置であって、呼出を受けた際に前記携帯無線端末装置が認識した呼出側の識別情報と、予め定められたキーワードとを比較し、前期識別情報の一部と前記キーワードの一致有無に応じて呼出動作を実行するか否かを判断する携帯無線端末装置である。【選択図】図１
2004328315.tif 000002
【特許請求の範囲】
【請求項１】
音声情報または文字情報を送受信可能で受信時に呼出側の識別情報を認識可能な携帯無線端末装置であって、呼出を受けた際に前記携帯無線端末装置が認識した呼出側の識別情報と、予め定められたキーワードとを比較し、前期識別情報の一部と前記キーワードの一致有無に応じて呼出動作を実行するか否かを判断することを特徴とする携帯無線端末装置。
【発明の詳細な説明】
【０００１】
【発明の属する技術分野】
本発明は、音声情報や文字情報の送受信が可能な携帯無線端末装置に関し、特に、呼出を受けた際の呼び出し動作を制限する機能を備えた携帯無線端末装置に関する。
【０００２】
【従来の技術】
携帯無線端末装置においては、音声情報の送受信の際、例えば音声通話の場合であるが、端末装置保有者に対して呼出を行って直ぐ呼出を切り、端末装置が呼出側の識別情報を認識することを利用し、端末装置保有者に端末装置の認識している呼出側の識別情報、つまりは、呼出側の電話番号に電話を掛けさせることを目的とした、ワン切りと呼ばれる悪質な行為が横行している。
【０００３】
また、文字情報の送受信の際、例えばメール受信の場合であるが、端末装置保有者が望んでいない文字情報を無作為に送信することで、端末装置保有者に不快な思いをさせる悪質な行為が横行している。
【０００４】
前記音声通話の場合、端末装置自体に呼出があってから一定期間は呼出動作を行わない機能や、端末装置保有者が予め設定した電話番号からの呼出には応答しないように設定できる機能が存在する。
【０００５】
また、前記メール受信の場合、端末装置から中継装置に対して、呼出側の識別情報として例えばメールアドレス又はドメイン名を指定し、前記指定したメールアドレス又はドメイン名からのメールの受信可否を登録することで中継装置側で端末装置への送信、つまりは端末装置での着信を制限できたり、メール内容に含まれる件名の先頭部分に特定文字の付加を義務付けることで、前記特定文字が含まれるメールの受信の可否を中継装置に登録することで中継装置側で端末装置への送信、つまりは端末装置での着信を制限でき不要なメールの着信を防ぐシステムを運用している。
【０００６】
【発明が解決しようとする課題】
しかしながら、上記従来技術では音声通話の場合、端末装置自体に呼出があってから一定期間は呼出動作を行わない機能では、必要な呼出であった場合でも呼出動作開始までに一定の時間経過を必要とするため、迅速な応答が出来ない問題点や、また、端末装置保有者が予め設定した電話番号からの呼出には応答しないように設定できる機能では、予め不要な電話番号をすべて把握する必要があると共に、電話番号を変えて再び不要な電話が掛けられた場合には、その都度設定をする必要が出てくる。
【０００７】
また、上記従来技術ではメール受信の場合、端末装置から中継装置に対して、呼出側の識別情報として例えばメールアドレス又はドメイン名を指定し、前記指定したメールアドレス又はドメイン名からのメールの受信可否を登録することで中継装置側で端末装置への送信、つまりは端末装置での着信を制限するシステムでは、メールアドレスを指定して着信を拒否した場合、メールアドレスを変更して送られてきた場合に着信拒否対応が出来ないことや、メールアドレスを指定して着信を可能とした場合には、着信希望するメールアドレスをすべて登録しなくてはならず、更に、ドメイン名を指定して着信を拒否した場合、必要なメールが不要なメールと同じドメイン名の場合に、着信が出来ない事となりうる。また、メール内容に含まれる件名の先頭部分に特定文字の付加を義務付けることで、前記特定文字が含まれるメールの受信の可否を中継装置に登録することで中継装置側で端末装置への送信、つまりは端末装置での着信を制限でき不要なメールの着信を防ぐシステムでは、義務付けられた特定文字の付加が守られていない場合に着信を拒否することが出来ない。
更に、上記システムで着信の可否を行う場合は、中継装置への登録が必要であり、その都度、中継装置へのアクセスと登録が必要となる。
【０００８】
本発明は上記のような問題を解決するための携帯無線端末装置を提供することを目的とする。
【０００９】
【課題を解決するための手段】
上記のような問題を解決するため、音声情報または文字情報を送受信可能で受信時に呼出側の識別情報を認識可能な携帯無線端末装置であって、呼出を受けた際に前記携帯無線端末装置が認識した呼出側の識別情報と、予め定められたキーワードとを比較し、前期識別情報の一部と前記キーワードの一致有無に応じて呼出動作を実行するか否かを判断することを特徴とする携帯無線端末装置で、つまり呼出側の識別番号の完全一致で着信の可否を設定するのではなく特定文字の部分一致で着信可否を設定できると共に、前記着信可否の設定をシステム側に頼ることなく端末装置独自で着信可否判断を実行可能にすることを特徴とする携帯無線端末装置を提供する。
【００１０】
【発明の実施の形態】
本発明における携帯無線端末装置の構成を示すブロック図の一例を図１に示す。図１において、本発明の携帯無線端末装置は、アンテナを含む無線送受信回路部１と、携帯端末全体の制御を行う制御部２と、ＬＣＤなどのディスプレイ画面に所望の情報を表示させる表示部３と、制御部２からの指令に基づいてＬＣＤなどの表示画面の制御を行うソフトウエアであるＬＣＤドライバ４と、各種機能に関する情報を入力するための複数の操作キーを有する入力キー群５と、リセットを促す操作キーであるリセットキー６と、通話音声の各処理を行ったり受話音量を調節したりする音声処理部７と、受信メールを読み込んで格納するフォントＲＯＭ８と、送受信操作の各種プログラムを格納するＲＯＭ９と、送信者の電話番号や、メールアドレスを予め書き込んで登録しておくＲＡＭ１０とによって構成されている。
【００１１】
本発明は制御部２に予め一致照合させる特定文字を設定できるようにすると共に、呼出側の識別情報として呼出側のの番号や文字列をワイルドカードを用いて設定できる。ここで言うワイルドカードとは、“＊”や“？”などの特殊文字を言い、例えば“＊”は文字列（英数字）の長さを無指定で設定でき、“？”は文字列（英数字）の文字数を１固定とするものである。
【００１２】
次に図２は、予め設定したワイルドカードを用いた文字列を示したものである。例えば音声着信で設定４の場合は“０１２２＊”の設定されているとする。この場合、着信拒否として“０１２２”の先頭番号に続く番号は無視し、先頭番号が“０１２２”であれば、呼出動作を行わない。逆に音声着信で設定１の場合は、着信許可として“０１２３”の先頭番号に続く番号は無視し、先頭番号が“０１２３”であれば、呼出動作を行う。
【００１３】
【発明の効果】
以上、従来のように中継装置側へのアクセスを必要とせずに携帯無線端末装置独自で所望の呼出側の識別番号に対して呼出動作の可否を可能とすると共に、呼出側の文字列の完全一致ではなく、適宜冗長性を持たせた文字列によって所望の呼出側の識別番号に対して呼出動作の可否を可能とすることが出来る。
【図面の簡単な説明】
【図１】本発明の携帯無線端末装置のブロック図の一例である。
【図２】本発明の携帯無線端末装置の着信許可、着信拒否の設定を示した一例である。
【符号の説明】
１…無線送受信回路、２…制御部、３…表示部、４…ＬＣＤドライバ、５…入力キー群、６…リセットスイッチ、  ７…音声処理部、  ８…フォントＲＯＭ、  ９…ＲＯＭ、  １０…ＲＡＭ
【図１】
2004328315.tif 000003
【図２】
2004328315.tif 000004